(57)【要約】【課題】キッチンキャビネットとキッチンカウンターとの間に大きな隙間ができてしまったり、キッチンキャビネットの収納領域を圧迫してしまったりすることを抑制しつつも、それぞれの施工者がキッチンカウンターの左右方向の端部を掴んだ状態でキッチンカウンターを施工現場へ持ち込んでキャビネットへ組み込む際に、キッチンカウンターが振動してしまい、この振動によってカウンター本体に対してとシンク部との接着状態が解除されてしまうことを抑制できるキッチンカウンターを提供する。【解決手段】開口部の開口を塞ぐようにカウンター本体に対して下方から接着固定されるシンク部と、カウンター本体の裏面に貼り付けられた板材と、を備え、開口部は、カウンター本体の左右のいずれか一方に寄った位置に形成されており、板材は、開口部よりカウンター本体の左右のいずれか他方側において分割されており、開口部の左右方向における端部の後方側において分割されていない。【選択図】図３
2018178428.tif 000002
【特許請求の範囲】
【請求項１】
キッチンキャビネットの上方に設置され、調理器具や食材などを載置することができるキッチンカウンターであって、
四角形形状の開口部が設けられており、前後方向の長さより左右方向の長さが大きいカウンター本体と、
前記開口部の開口を塞ぐように前記カウンター本体に対して下方から接着固定されるシンク部と、
前記カウンター本体の裏面に貼り付けられた板材と、を備え、
前記開口部は、前記カウンター本体の左右のいずれか一方に寄った位置に形成されており、
前記板材は、前記開口部より前記カウンター本体の左右のいずれか他方側において分割されており、前記開口部の左右方向における端部の後方側において分割されていないことを特徴とするキッチンカウンター。
【請求項２】
前記板材は、前記開口部より前記カウンター本体の左右のいずれか他方側において、隙間が形成された状態で分割されていることを特徴とする請求項１に記載のキッチンカウンター。
【請求項３】
前記板材より剛性が高い固定部材をさらに備え、
前記固定部材は、前記カウンター本体の裏面又は板材に固定された固定面を有し、
前記固定面は、前記シンク部の左右方向における端部から離れた位置で、且つ、前記板材が前記開口部より前記カウンター本体の左右のいずれか他方側において分割された位置より前記シンク部寄りに、配置されていることを特徴とする請求項１又は２に記載のキッチンカウンター。
【請求項４】
前記固定部材は、前記板材より剛性が高いＬ字状のアングルであり、
前記アングルは、前記固定面を有する固定片と、前記固定片から下方へ突出した突出片と、を有し、
前記固定片は、前記カウンター本体と前記板材とで挟み込まれるように配置されており、
前記突出片の前記固定片からの下方への突出高さは、前記板材の厚み以下であることを特徴とする請求項３に記載のキッチンカウンター。
【発明の詳細な説明】
【技術分野】
【０００１】
本発明の態様は、一般的に、キッチンキャビネットの上方に設置され、調理器具や食材などを載置することができるキッチンカウンターに関する。
【背景技術】
【０００２】
近年、キッチンキャビネットの上方に設置され、調理器具や食材などを載置することができるキッチンカウンターが知られている（例えば特許文献１）。近年は、このようなキッチンカウンターにおいて、キッチンカウンターの厚みを可能な限り小さくすることで、キッチンカウンターの見栄えをすっきりさせることも、求められている。
【０００３】
しかしながら、キッチンカウンターの厚みを小さくすると、キッチンカウンターの剛性が低下してしまう。一般的に、キッチンカウンターは、カウンター本体に対してシンク部が接着剤等で取り付けられた状態で、施工現場へ輸送され、施工現場でキャビネットに対して組み立てられるものであるが、キッチンカウンターの剛性が低いと、キッチンカウンターの左右に立ったそれぞれの施工者がキッチンカウンターの左右方向の端部を掴んだ状態で施工現場へ持ち込んでキャビネットへ組み込む際に、キッチンカウンターが振動してしまい、この振動によってカウンター本体に対してとシンク部との接着状態が解除されてしまう可能性があった。
【０００４】
キッチンカウンターの厚みを小さくしつつ、キッチンカウンターの強度を確保するためには、特許文献１のように、キッチンカウンターの下面に、柱状の桟木を張り巡らせる方法も考えられるが、桟木の厚みによって、キッチンキャビネットとキッチンカウンターとの間に大きな隙間ができてしまったり、キッチンキャビネットの収納領域を圧迫してしまったりすると、本末転倒である。一方で、柱状の桟木でなく、板材をキッチンカウンターの下面に貼り付ける方法であると、キッチンカウンターの強度を十分に確保することは難しい。
【先行技術文献】
【特許文献】
【０００５】
【特許文献１】特開２０００−２７２５３号公報
【発明の概要】
【発明が解決しようとする課題】
【０００６】
本発明は、かかる課題の認識に基づいてなされたものであり、キッチンキャビネットとキッチンカウンターとの間に大きな隙間ができてしまったり、キッチンキャビネットの収納領域を圧迫してしまったりすることを抑制しつつも、それぞれの施工者がキッチンカウンターの左右方向の端部を掴んだ状態でキッチンカウンターを施工現場へ持ち込んでキャビネットへ組み込む際に、キッチンカウンターが振動してしまい、この振動によってカウンター本体に対してとシンク部との接着状態が解除されてしまうことを抑制できるキッチンカウンターを提供することを目的とする。
【課題を解決するための手段】
【０００７】
第１の発明は、キッチンキャビネットの上方に設置され、調理器具や食材などを載置することができるキッチンカウンターであって、四角形形状の開口部が設けられており、前後方向の長さより左右方向の長さが大きいカウンター本体と、前記開口部の開口を塞ぐように前記カウンター本体に対して下方から接着固定されるシンク部と、前記カウンター本体の裏面に貼り付けられた板材と、を備え、前記開口部は、前記カウンター本体の左右のいずれか一方に寄った位置に形成されており、前記板材は、前記開口部より前記カウンター本体の左右のいずれか他方側において分割されており、前記開口部の左右方向における端部の後方側において分割されていないことを特徴とするキッチンカウンターである。
【０００８】
このキッチンカウンターによれば、開口部がカウンター本体の左右のいずれか一方に寄った位置に形成されたカウンター本体において、板材を、開口部よりカウンター本体の左右のいずれか他方側において分割し、開口部の左右方向における端部の後方側において分割されていない構成としたことで、施工者がキッチンカウンターの左右方向の端部を掴んだ状態で施工現場へ持ち込んでキッチンキャビネットへ組み込む際に、カウンター本体に掛かる応力を、分割位置であるカウンター本体の開口部から離れた位置にあえて発生させ、且つ、開口部の左右方向における端部の後方側において応力が発生しにくくさせた。
したがって、厚みが小さい板材による補強構造であっても、キッチンカウンターに掛かる応力を左右方向で効果的に分散することができ、それぞれの施工者がキッチンカウンターの左右方向の端部を掴んだ状態で施工現場へ持ち込んでキッチンキャビネットへ組み込む際に、キッチンカウンターが振動してしまい、この振動によってカウンター本体に対してとシンク部との接着状態が解除されてしまう可能性を低減させることができる。
なお、本発明における「板材」とは、厚みが２５ミリメートル（ｍｍ）以内の部材である。このような板材を用いることで、柱状の桟木を用いる場合と比べ、キッチンキャビネットとキッチンカウンターとの間に大きな隙間ができてしまったり、キッチンキャビネットの収納領域を圧迫してしまったりすることを抑制できる。
【０００９】
第２の発明は、第１の発明において、前記板材は、前記開口部より前記カウンター本体の左右のいずれか他方側において、隙間が形成された状態で分割されていることを特徴とするキッチンカウンターである。
【００１０】
このキッチンカウンターによれば、隙間が形成された分割位置であるカウンター本体の開口部から離れた位置が撓みやすくなるため、カウンター本体に掛かる応力を、分割位置であるカウンター本体の開口部から離れた位置に、より発生させやすくなる。
【００１１】
第３の発明は、第１又は第２の発明において、前記板材より剛性が高い固定部材をさらに備え、前記固定部材は、前記カウンター本体の裏面又は板材に固定された固定面を有し、前記固定面は、前記シンク部の左右方向における端部から離れた位置で、且つ、前記板材が前記開口部より前記カウンター本体の左右のいずれか他方側において分割された位置より前記シンク部寄りに、配置されていることを特徴とするキッチンカウンターである。
【００１２】
このキッチンカウンターによれば、板材より剛性が高い固定部材を設置し、シンク部の左右方向における端部から離れた位置で、且つ、板材が開口部よりカウンター本体の左右のいずれか他方側において分割された位置よりシンク部寄りに配置したことで、カウンター本体の左右方向におけるシンク部の近傍の強度を確保しつつも、固定部材の固定面をあえてシンク部の左右方向における端部から離れた位置とすることで、応力が集中する固定部材の固定面がシンク部から離れることとなり、さらに応力を分散することができる。
【００１３】
第４の発明は、第３の発明において、前記固定部材は、前記板材より剛性が高いＬ字状のアングルであり、前記アングルは、前記固定面を有する固定片と、前記固定片から下方へ突出した突出片と、を有し、前記固定片は、前記カウンター本体と前記板材とで挟み込まれるように配置されており、前記突出片の前記固定片からの下方への突出高さは、前記板材の厚み以下であることを特徴とするキッチンカウンターである。
【００１４】
このキッチンカウンターによれば、突出片の固定片からの下方への突出高さを板材の厚み以下とすることによって、アングルを配置したとしても、キッチンキャビネットとキッチンカウンターとの間に大きな隙間ができてしまったりキッチンキャビネットの収納領域を圧迫してしまったりすることを抑制できる。
【発明の効果】
【００１５】
本発明の態様によれば、キッチンキャビネットとキッチンカウンターとの間に大きな隙間ができてしまったり、キッチンキャビネットの収納領域を圧迫してしまったりすることを抑制しつつも、それぞれの施工者がキッチンカウンターの左右方向の端部を掴んだ状態でキッチンカウンターを施工現場へ持ち込んでキャビネットへ組み込む際に、キッチンカウンターが振動してしまい、この振動によってカウンター本体に対してとシンク部との接着状態が解除されてしまうことを抑制できるキッチンカウンターを提供することができる。
【図面の簡単な説明】
【００１６】
【図１】本発明の実施の形態に係るシステムキッチンを示す模式的斜視図である。
【図２】図１のシステムキッチンにおけるキッチンカウンターを示す模式的斜視図である。
【図３】図２のキッチンカウンターを示す模式的上面図である。
【図４】図３のキッチンカウンターにおける模式的Ｆ−Ｆ断面図である。
【図５】図４のキッチンカウンターにおけるＨ部分を示す模式的側断面図である。
【図６】図４のキッチンカウンターにおけるＧ部分を示す模式的側断面図である。
【発明を実施するための形態】
【００１７】
以下、本発明の実施の形態について図面を参照しつつ説明する。なお、各図面中、同様の構成要素には同一の符号を付して詳細な説明は適宜省略する。
【００１８】
図１は、本発明の実施の形態に係るシステムキッチンを示す模式的斜視図である。
図２は、図１のシステムキッチンにおけるキッチンカウンターを示す模式的斜視図である。
【００１９】
図１及び図２に示すように、本発明の実施の形態に係るシステムキッチン１００は、キッチンキャビネット１と、キッチンキャビネット１の上方に設置され、調理器具や食材などを載置することができるキッチンカウンター２と、水栓装置４と、コンロ部５と、を備えている。
【００２０】
キッチンカウンター２は、前後方向の長さより左右方向の長さが大きいカウンター本体６と、シンク部８と、カウンター本体６の裏面に貼り付けられた板材１０（図３参照）と、を有している。カウンター本体６は、例えば、可とう性を有する樹脂で形成されている。カウンター本体６には、四角形形状の開口部１２が設けられている。開口部は、カウンター本体６の右側に寄った位置に形成されている。シンク部８は、開口部１２の開口を塞ぐようにカウンター本体６に対して下方から接着固定されている。板材１０は、例えば木製である。
【００２１】
カウンター本体６は、コンロ部５側の角部分が切りかかれている。また、本発明の実施の形態に係るカウンター本体６は、例えば、水返し部やバックガード、前垂れ部が設けられていない、厚みが均一のカウンターである。また、本発明の実施の形態に係るカウンター本体６は、例えば、例えば、その厚みが、１５ｍｍ以下の薄型カウンターである。
【００２２】
図３は、図２のキッチンカウンターを示す模式的上面図である。
【００２３】
図３に示すように、板材１０は、開口部１２よりカウンター本体６の左側において分割されており、開口部１２の左右方向における端部の後方側であるＩ部分において分割されていない。より詳述すると、板材１０は、カウンター本体６の左右方向における中央近傍であるＨ部分において分割されており、開口部１２の左右方向における端部の後方側であるＩ部分において分割されていない。このことにより、施工者が施工現場へキッチンカウンター２を持ち込んでキッチンキャビネット１へ組み込む際に、カウンター本体６に掛かる応力を、分割位置であるカウンター本体６の左右方向における中央近傍であえて発生させることができ、且つ、開口部１２の左右方向における端部の後方側において応力が発生しにくくさせることができる。したがって、厚みが小さい板材１０による補強構造であっても、キッチンカウンター２に掛かる応力を左右方向で効果的に分散することができ、施工者がキッチンカウンター２を施工現場へ持ち込んでキッチンキャビネット１へ組み込む際に、キッチンカウンター２が振動してしまい、この振動によってカウンター本体６に対してとシンク部８との接着状態が解除されてしまう可能性を低減させることができる。
なお、本発明の実施の形態において、分割位置は、開口部１２の左右方向における端部の後方側であるＩ部分から、少なくとも５０ｍｍ以上、左側に離れて形成されている。
【００２４】
なお、本発明の実施の形態において、「カウンター本体６の左右方向における中央近傍」とは、例えば、カウンター本体６の左右方向における中央線から左方向へ「カウンター本体６の左右方向の長さ」の１０パーセント分の距離、カウンター本体６の左右方向における中央線から右方向へ「カウンター本体６の左右方向の長さ」の１０パーセント分の距離、に囲まれた範囲のことである。
【００２５】
また、板材１０の分割位置Ｈとシンク部８との間の板材１０は、カウンター本体６の左右方向の端部の裏面に配置された板材１０とは、独立して形成される。このことにより、キッチンカウンター２の左右に立ったそれぞれの施工者がキッチンカウンター２の左右方向の端部を掴んだ状態で施工現場へ持ち込んでキッチンキャビネット１へ組み込む際に、キッチンカウンター２に生じる振動が、板材１０の分割位置Ｈとシンク部８との間の板材１０に伝わりにくくなる。したがって、このキッチンカウンター２に生じ振動によってカウンター本体６に対してとシンク部８との接着状態が解除されてしまうことをさらに抑制できる。
【００２６】
さらに、板材１０は、シンク部８よりシンク部８が左右のいずれかに寄っている方向（本発明の実施の形態においては右方向）において、前後に分割されている。詳述すると、板材１０は、図３に示すＧ部分において隙間が形成された状態で分割されている。このことにより、キッチンカウンター２の左右に立ったそれぞれの施工者がキッチンカウンター２の左右方向の端部を掴んだ状態で施工現場へ持ち込んでキッチンキャビネット１へ組み込む際に、シンク部８よりシンク部８が左右のいずれかに寄っている方向（本発明の実施の形態においては右方向）におけるキッチンカウンター２の後端側を掴めば、キッチンカウンター２に生じる振動が、シンク部８よりシンク部８が左右のいずれかに寄っている方向（本発明の実施の形態においては右方向）におけるシンク部８側の板材１０に伝わりにくくなる。したがって、このキッチンカウンター２に生じ振動によってカウンター本体６に対してとシンク部８との接着状態が解除されてしまうことをさらに抑制できる。
【００２７】
図４は、図３のキッチンカウンターにおける模式的Ｆ−Ｆ断面図である。
図５は、図４のキッチンカウンターにおけるＨ部分を示す模式的側断面図である。
【００２８】
図４及び図５に示すように、開口部１２よりカウンター本体６の左側であって、カウンター本体６の左右方向における中央近傍であるＨ部分において、板材１０は、隙間が形成された状態で分割されている。言い換えると、シンク部８側の板材１０とコンロ部５側の板材１０との間に、隙間が形成されている。この隙間は、左右方向において例えば０．５ｍｍ以上の大きさで形成されている。このような隙間によって、隙間が形成された分割位置であるカウンター本体６の左右方向における中央近傍が撓みやすくなるため、カウンター本体６に掛かる応力を、分割位置であるカウンター本体６の左右方向における中央近傍に、より発生させやすくなる。したがって、厚みが小さい板材１０による補強構造であっても、キッチンカウンター２に掛かる応力を左右方向でより効果的に分散することができ、施工者がキッチンカウンター２を施工現場へ持ち込んでキッチンキャビネット１へ組み込む際に、キッチンカウンター２が振動してしまい、この振動によってカウンター本体６に対してとシンク部８との接着状態が解除されてしまう可能性をより低減させることができる。言い換えると、シンク部８を接着している接着剤（コーキング剤）２２（図６参照）がカウンター本体６から剥がれてしまうことを抑制できる。
【００２９】
図６は、図４のキッチンカウンターにおけるＧ部分を示す模式的側断面図である。
【００３０】
図６に示すように、シンク部８の左右方向における端部２０は、接着剤（コーキング剤）２２によって、カウンター本体６に固定されている。キッチンカウンター２は、例えば金属製であって断面Ｌ字状に形成されたアングル（固定部材）１４を備えている。アングル１４は、シンク部８の左右両側にそれぞれ設置されている。アングル１４は、シンク部８の前後方向の長さとほぼ同じ長さである。アングル１４は、板材１０より剛性が高い。
【００３１】
アングル１４は、固定面１５を有する固定片１６と、固定片１６から下方へ突出した突出片１８と、を有する。アングル１４の固定片１６は、カウンター本体６と板材１０とで挟み込まれるように配置されている。アングル１４の固定面１５は、カウンター本体６の下面及び板材１０の上面に固定されている。
【００３２】
アングル１４の固定面１５は、シンク部８の左右方向における端部２０から離れた位置で、且つ、板材１０が開口部１２よりカウンター本体６の左側において分割された位置よりシンク部８寄りに、配置されている。詳述すると、アングル１４の固定面１５は、シンク部８の左右方向における端部２０から離れた位置で、且つ、板材１０がカウンター本体６の左右方向における中央近傍において分割された位置よりシンク部８寄りに、配置されている。即ち、アングル１４の固定面１５は、例えば、シンク部８の左右方向における端部２０から１０ｍｍ以上離れた位置で、且つ、シンク部８の左右方向における端部２０から１００ｍｍ以内の位置に、配置されている。このことにより、カウンター本体６の左右方向におけるシンク部８の近傍の強度を確保しつつも、アングル１４の固定面１５をあえてシンク部８の左右方向における端部２０から離れた位置とすることで、応力が集中しやすいアングル１４の固定面１５がシンク部８から離れることとなり、さらに応力を分散することができる。
【００３３】
本発明の実施の形態におけるアングル１４の突出片１８の固定片からの下方への突出高さＸは、板材１０の厚みＹより小さい。このことにより、アングル１４の固定片１６をカウンター本体６と板材１０とで挟み込むように配置したとしても、キッチンキャビネット１とキッチンカウンター２との間に大きな隙間ができてしまったりキッチンキャビネット１の収納領域を圧迫してしまったりすることを抑制できる。
【００３４】
以上、本発明の実施の形態について説明した。しかし、本発明はこれらの記述に限定されるものではない。
【００３５】
本発明の実施の形態においては、開口部は、カウンター本体６の右側に寄った位置に形成されている。しかし、本発明はそれに限らず、開口部は、カウンター本体６の左側に寄った位置に形成されているものであっても良い。その場合、開口部１２よりカウンター本体６の右側において分割される。また、その場合は、より好ましくは、開口部１２よりカウンター本体６の右側において、板材１０は、隙間が形成された状態で分割されている。さらに、その場合は、より好ましくは、アングル１４の固定面１５は、シンク部８の左右方向における端部２０から離れた位置で、且つ、板材１０が開口部１２よりカウンター本体６の右側において分割された位置よりシンク部８寄りに、配置されている。
【００３６】
前述の実施の形態に関して、当業者が適宜設計変更を加えたものも、本発明の特徴を備えている限り、本発明の範囲に包含される。例えば、システムキッチン１００やキッチンカウンター２などが備える各要素の形状、寸法、材質、配置などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００３７】
１ キッチンキャビネット、  ２ キッチンカウンター、  ４ 水栓装置、  ５ コンロ部、  ６ カウンター本体、  ８ シンク部、  １０ 板材、  １２ 開口部、  １４ アングル部、  １５ 固定面、  １６ 固定片、  １８ 突出片、  ２０ 端部、  ２２ 接着剤（コーキング剤）、  １００ システムキッチン
【図１】
2018178428.tif 000003
【図２】
2018178428.tif 000004
【図３】
2018178428.tif 000005
【図４】
2018178428.tif 000006
【図５】
2018178428.tif 000007
【図６】
2018178428.tif 000008